(57)【要約】【課題】媒体上の目的の音楽や映像を容易に、かつ、ほぼ確実に再生することができる情報再生装置を提供する。【解決手段】巻き戻しボタンおよび早送りボタンを有し、これらのうち何れか一方が操作されたときボタン操作に応じた信号を出力する表示部２１と、その信号が入力されたとき時間をカウントアップし、かつ、カウントアップする毎に信号を表示部２１に出力する制御部２２とを備え、表示部２１は、前記信号が入力される毎にカウントアップするとともに、その値を時間として表示し、制御部２２は、カウントアップした時間から媒体の移動量の変位を算出し、かつ、その変位分、ボタン操作に応じた方向に媒体を移動させるように媒体駆動部２３を制御する。【選択図】図２
2008243278.tif 000002
【特許請求の範囲】
【請求項１】
巻き戻しボタンおよび早送りボタンを有し、これらのうち何れか一方が操作されたときボタン操作に応じた信号を出力する操作部と、
前記信号が所定時間内に連続して入力されると、巻き戻しまたは早送り時間を入力回数に応じて増加させ、現在の再生位置に対し、該増加させた巻き戻しまたは早送り時間に応じた位置から情報の再生を行う制御部と
を備えたことを特徴とする情報再生装置。
【請求項２】
前記信号が入力される毎に、増加した巻き戻しまたは早送り時間を表示する表示部を有することを特徴とする請求項１記載の情報再生装置。
【請求項３】
前記制御部は、現在の再生位置から該増加させた巻き戻しまたは早送り時間に応じた位置まで、所定の倍率の再生速度で巻き戻しまたは早送り再生した後、情報の再生を開始することを特徴とする請求項１記載の情報再生装置。
【請求項４】
前記制御部は、巻き戻しまたは早送り時間から媒体の移動量の変位を算出し、かつ、その変位分、ボタン操作に応じた方向に媒体を移動させ、媒体の移動完了を確認したとき、媒体に記録された情報を再生させることを特徴とする請求項１記載の情報再生装置。
【発明の詳細な説明】
【技術分野】
【０００１】
本発明は、例えば、記録された音楽や映像等の情報を再生する情報再生装置に関するものである。
【背景技術】
【０００２】
従来の映像再生装置で映像を探索する際、早送り、ないしは巻き戻しにより概略の記録箇所まで再生箇所を粗送りし、その後、通常再生と早送りを繰り返しつつ目的の記録箇所を探すようにしている（例えば、特許文献１参照）。
【０００３】
【特許文献１】特開２００５−５１６６３号公報（第４頁）
【発明の開示】
【発明が解決しようとする課題】
【０００４】
実際の操作では、目的の記録箇所を通り過ぎたり、手前過ぎたりして、操作が面倒であった。
【課題を解決するための手段】
【０００５】
本発明に係る情報再生装置は、巻き戻しボタンおよび早送りボタンを有し、これらのうち何れか一方が操作されたときボタン操作に応じた信号を出力する操作部と、その信号が所定時間内に連続して入力されると、巻き戻しまたは早送り時間を入力回数に応じて増加させ、現在の再生位置に対し、増加させた巻き戻しまたは早送り時間に応じた位置から情報の再生を行う制御部とを備えたものである。
【発明の効果】
【０００６】
本発明においては、媒体を巻き戻しするとき、また早送りをするとき、時間で指定するようにしたので、巻き戻し過ぎたり、早送りし過ぎるということが無くなり、ほぼ確実に聞きたい部分の情報から再生することが可能になった。
【発明を実施するための最良の形態】
【０００７】
実施の形態１．  
実施の形態１は、本発明の情報再生装置を映像監視システムに適用したものであり、以下、図１の図面を用いて説明する。図１は本発明の情報再生装置を適用して示す映像監視システムのブロック構成図である。
図１に示す映像監視システムは、例えば、営業店のＡＴＭコーナに防犯用として設置された複数台の監視カメラ１と、複数の監視カメラ１により撮影された各映像をデジタルデータとして記録するＤＶＲ装置２と、監視センタに設置された監視サーバー３と、この監視サーバー３に接続された複数台の監視端末４とを備え、営業店側のＤＶＲ装置２と監視センタ側の監視サーバー３は、通信網１０を介して接続される。
【０００８】
監視端末４は、ＤＶＲ装置２から監視映像を取得して媒体（例えばハードディスク）に一時的に記録する監視映像取得部４ａと、媒体に記録された監視映像を再生してモニタ（図示せず）に表示する監視映像再生部４ｂと、監視映像の早送り／戻し時間を決定するための早送り／戻し時間決定部４ｃとを備えている。この早送り／戻し時間決定部４ｃは、本発明の情報再生装置の表示部を備え、例えば、モニタ上に巻き戻しボタンと早送りボタンを操作部として表示し、巻き戻しボタンがクリック操作される毎に信号を監視映像再生部４ｂに出力し、これに応答して信号が入力される毎にクリック回数をカウントアップし、かつ、そのカウントアップされたクリック回数に対応する巻き戻し時間値を秒数として例えばモニタに表示する。また、早送りボタンがクリック操作される毎に信号を監視映像再生部４ｂに出力し、これに応答して信号が入力される毎にクリック回数をカウントアップし、かつ、そのカウントアップされたクリック回数に対応する早送り時間値を秒数としてモニタに表示する。ここでは、1回のクリック回数が1秒に相当するものとする。すなわち、巻き戻しボタンや、早送りボタンがクリックされる毎に１秒ずつ加算され、表示される。
【０００９】
監視映像再生部４ｂは、本発明の情報再生装置の制御部を備え、早送り／戻し時間決定部４ｃからの信号が入力される毎にカウントアップするとともに、その都度、早送り／戻し時間決定部４ｃに秒数をカウントアップさせる信号を返信し、信号の入力が完了したときは、入力信号から巻き戻しか早送りかを判別して、テープの場合は媒体の回転方向を認識し、かつ、カウントアップした数値に基づいて媒体の移動量の変位を算出する。そして、算出した変位分、媒体を巻き戻し又は早送りの方向に移動させ、媒体の巻き戻し完了時、早送り完了時に、その位置からの監視映像を再生してモニタに表示する。媒体にハードディスクやメモリ等に動画ファイルを格納して利用するものの場合は、入力信号から巻き戻しか早送りかを判別して、現在の再生箇所から巻き戻し／早送り時間を減算／加算した箇所から再生を開始してモニタに表示する。
なお、監視端末４の媒体に一時的に記録された監視映像中に、指定された時間の映像が含まれていない場合は、ＤＶＲ装置２から取得するようにする。
【００１０】
次に、実施の形態１の動作を説明する。
例えば、ＡＴＭコーナに設置された人体センサが人体を検知すると、複数の監視カメラ１がそれぞれ所定の監視エリアの撮影を開始し、毎秒数十フレームの映像をＤＶＲ装置２に出力する。ＤＶＲ装置２は、複数の監視カメラ１からの毎秒数十フレームの映像を順次に取り込むとともに、圧縮してテープやハードディスクなどの媒体に記録する。この時、監視映像の中の人体の動きを検出し、検出した動き量が所定量以上のとき、異常と判断して、監視センタの監視サーバー３にアラームを通知する。また、監視映像を記録中に、ＡＴＭにより紛失届けが出ているカードが検知されたとき、ＡＴＭコーナに設置されている非常ボタンが操作れたとき、監視サーバー３にアラームを通知する。
【００１１】
一方、監視サーバー３は、ＤＶＲ装置２からのアラームを検知すると、複数の監視端末４の中から待機中の監視端末４を検索し、監視映像の確認要求を通知する。その通知を受けた監視端末４は、モニタに監視映像の確認要求を表示し、オペレータにより「了解」のボタンが操作されたときは、監視映像取得部４ａがそのボタン操作を検知し、監視映像の取得要求を監視サーバー３を介してＤＶＲ装置２に通知する。この通知により、伸長された監視映像が監視サーバー３を介して監視端末４に受信されると、媒体に一時的に記録する。
【００１２】
監視映像再生部４ｂは、媒体に監視映像が記録されるとモニタに表示し、この状態において、モニタ上の巻き戻しボタンがクリックされると、早送り／戻し時間決定部４ｃは、クリックされる毎に信号を監視映像再生部４ｂに出力し、これに応答して信号が入力される毎にカウントアップし、かつ、その値を巻き戻しの秒数としてモニタに表示する。この時、監視映像再生部４ｂは、巻き戻しボタンのクリックによる信号が入力される毎にカウントアップするとともに、その都度、早送り／戻し時間決定部４ｃに巻き戻しの秒数をカウントアップさせる信号を返信し、信号の入力が完了したときは、入力信号から巻き戻しと判別して、テープの場合は媒体の回転方向を認識し、かつ、カウントアップした数値に基づいて媒体の移動量の変位を算出する。そして、算出した変位分、媒体を巻き戻しの方向に移動させ、媒体の巻き戻し完了時に、その位置からの監視映像を再生してモニタに表示する。媒体にハードディスクやメモリ等に動画ファイルを格納して利用するものの場合は、入力信号から巻き戻しか早送りかを判別して、現在の再生箇所から巻き戻し時間を減算した箇所から再生を開始してモニタに表示する。
【００１３】
また、早送り／戻し時間決定部４ｃは、モニタ上の早送りボタンがクリックされると、クリックされる毎に信号を監視映像再生部４ｂに出力し、これに応答して信号が入力される毎にカウントアップし、かつ、その値を早送りの秒数としてモニタに表示する。一方、監視映像再生部４ｂは、早送りボタンのクリックによる信号が入力される毎にカウントアップするとともに、その都度、早送り／戻し時間決定部４ｃに早送りの秒数をカウントアップさせる信号を返信し、信号の入力が完了したときは、入力信号から早送りと判別して、テープの場合は媒体の回転方向を認識し、かつ、カウントアップした数値に基づいて媒体の移動量の変位を算出する。そして、算出した変位分、媒体を早送りの方向に移動させ、媒体の早送り完了時に、その位置からの監視映像を再生してモニタに表示する。媒体にハードディスクやメモリ等に動画ファイルを格納して利用するものの場合は、入力信号から巻き戻しか早送りかを判別して、現在の再生箇所から早送り時間を加算した箇所から再生を開始してモニタに表示する。
【００１４】
以上のように実施の形態１によれば、監視映像をクリック操作の回数に応じて秒指定で巻き戻したり、早送りするようにしたので、巻き戻し過ぎたり、早送りし過ぎるということが無くなり、ほぼ確実に見たい部分の監視映像から再生することが可能になった。例えば、監視中に３秒前の映像を確認したくなった場合には、巻き戻しボタンを３回クリック操作すればよく、簡単に巻き戻し時間を指定しての巻き戻し操作が行える。また、巻き戻し又は早送りした後には自動的にその位置から再生するので、再生のためのボタン操作の手間が省け、使い勝手が向上するという効果がある。
【００１５】
なお、前記の実施の形態１では、モニタ上の巻き戻しボタンや、秒指定早送りボタンを１回押す毎に１秒ずつ加算されるようにしたが、これに限定されるものではなく、例えば、２回クリックしたときに３秒になるようにしても良いし、３回クリックで１０秒となるようにしても良いし、また、４回クリックで３０秒となるようにしても良い。この場合、１秒以内に次のクリックを行ったとき、クリック回数を累積するようにする。
【００１６】
また、巻き戻し、早送りの際の表示は、指定された時刻の映像に即座に切り替えて再生開始するようにしても良いし、指定された時刻まで２〜３倍速再生や、逆再生を行うことにより、その間の映像も表示されるようにしても良い。
【００１７】
実施の形態２．
実施の形態２は、本発明の情報再生装置をオーディオ機器に適用したものであり、以下、図２乃至図４の図面を用いて説明する。図２はオーディオ機器における情報再生装置の概略を示すブロック構成図、図３は秒指定巻き戻しボタンの外観を示す正面図、図４は秒指定早送りボタンの外観を示す正面図である。
【００１８】
実施の形態２の情報再生装置は、前述したようにオーディオ機器に設けら、表示部２１と、制御部２２と、媒体駆動部２３とを備えている。表示部２１は、押された回数に応じて巻き戻し時間（秒）を指定する機能および指定秒を表示する機能を備えた秒指定巻き戻しボタン２１ａ（図３（ａ）参照）と、押された回数に応じて早送り時間（秒）を指定する機能および指定秒を表示する機能を備えた秒指定早送りボタン２１ｂ（図４（ａ）参照）とを有している。この表示部２１は、何れか一方のボタン２１ａ又は２１ｂが押される毎に信号を制御部２２に出力し、これに応答して信号が入力される毎にカウントアップし、かつ、その値を秒数として例えば、操作されたボタン２１ａ又は２１ｂに表示していく。
【００１９】
制御部２２は、表示部２１からの信号が入力される毎にカウントアップするとともに、その都度、表示部２１に秒数をカウントアップさせる信号を返信し、信号の入力が完了したときは、入力信号から巻き戻しか早送りかを判別して媒体（カセットテープ、ＣＤ、ＭＤ等）の回転方向を認識し、かつ、カウントアップした数値に基づいて媒体の移動量の変位を算出する。そして、算出した変位分、媒体を巻き戻し又は早送りの方向に移動させる命令を媒体駆動部２３に通知する。また、制御部２２は、媒体の巻き戻し完了時、早送り完了時に再生命令を媒体駆動部２３に出し、表示部２１からの停止指示を受けたときは媒体駆動部２３を停止させる。
【００２０】
媒体駆動部２３は、媒体を巻き戻し又は早送りの方向に移動させる命令を受けたとき、その命令に基づいて媒体を所定方向（巻き戻し方向又は早送り方向）に駆動し、命令の変位分駆動したときは、媒体を停止してその旨を制御部２２に通知する。また、媒体を巻き戻し又は早送りした後に再生命令を確認したときは、媒体を巻き戻し又は早送りした位置から再生し、停止命令を確認したときは媒体の駆動を停止する。
【００２１】
次に、実施の形態２の動作について説明をする。まず、３秒間巻き戻すときの動作を説明し、その後に、３秒間早送りするときの動作を説明する。
（１）図３（ａ）に示す秒指定巻き戻しボタン２１ａが連続して３回押されると、表示部２１は、そのボタン２１ａが押される毎に信号を制御部２２に出力する。
（２）制御部２２は、表示部２１からの信号が入力される毎にカウントアップするとともに、その都度、表示部２１に秒数をカウントアップさせる信号を返信する。この時、表示部２１は、その信号が入力される毎にカウントアップするとともに、そのカウント値を秒数として秒指定巻き戻しボタン２１ａに表示していく。この場合は、図３（ｂ）に示すように「３」を表示し、巻き戻しのシンボルを点灯する。
（３）一方、制御部２２は、入力信号から巻き戻しと判別し、かつ、その方向（巻き戻し）とカウントアップした値（３秒）とから媒体を移動させる変位を算出する。
（４）そして、算出した変位分、媒体を巻き戻しするように媒体駆動部２３に命令を出す。
（５）この時、媒体駆動部２３は、制御部２２によって命令された変位分、媒体を巻き戻し、その位置に到達したときに媒体を停止して巻き戻し完了を制御部２２に通知する。
（６）制御部２２は、巻き戻し完了の通知を受けたとき、秒指定巻き戻しボタン２１ａに表示されている巻き戻しのシンボルを消灯させるとともに、秒数の「３」を消灯させ、図３（ａ）に示す状態に戻す。
（７）そして、媒体駆動部２３に対し再生命令を出し、３秒巻き戻しした位置から音楽を再生させる。
【００２２】
次に、３秒間早送りするときの動作を説明する。
（１）図４（ａ）に示す秒指定早送りボタン２１ｂが連続して３回押されると、表示部２１は、そのボタン２１ｂが押される毎に信号を制御部２２に出力する。
（２）制御部２２は、表示部２１からの信号が入力される毎にカウントアップするとともに、その都度、表示部２１に秒数をカウントアップさせる信号を返信する。この時、表示部２１は、その信号が入力される毎にカウントアップするとともに、そのカウント値を秒数として秒指定早送りボタン２１ｂに表示していく。この場合は、図４（ｂ）に示すように「３」を表示し、早送りシンボルを点灯する。
（３）一方、制御部２２は、入力信号から早送りと判別し、かつ、その方向（早送り）とカウントアップした値（３秒）とから媒体を移動させる変位を算出する。
（４）そして、算出した変位分、媒体を早送りするように媒体駆動部２３に命令を出す。
（５）この時、媒体駆動部２３は、制御部２２によって命令された変位分、媒体を早送りし、その位置に到達したときに媒体を停止して早送り完了を制御部２２に通知する。
（６）制御部２２は、早送り完了の通知を受けたとき、秒指定早送りボタン２１ｂに表示されている早送りのシンボルを消灯させるとともに、秒数の「３」を消灯させ、図４（ａ）に示す状態に戻す。
（７）そして、媒体駆動部２３に対し再生命令を出し、３秒早送りした位置から音楽を再生させる。
【００２３】
以上のように実施の形態２によれば、秒指定で巻き戻したり、早送りするようにしたので、巻き戻し過ぎたり、早送りし過ぎるということが無くなり、ほぼ確実に聞きたい部分の音楽から再生することが可能になった。また、巻き戻し又は早送りした後には自動的にその位置から再生するので、再生のためのボタン操作の手間が省け、使い勝手が向上するという効果がある。
【００２４】
なお、前記の実施の形態２では、秒指定巻き戻しボタン２１ａや、秒指定早送りボタン２１ｂを１回押す毎に１秒ずつ加算されるようにしたが、これに限定されるものではなく、例えば、１回押す毎に３秒ずつ加算されるようにしても良いし、５秒ずつ加算されるようにしても良い。また、秒指定巻き戻しボタン２１ａや、秒指定早送りボタン２１ｂを押し続けたとき、秒数が自動的にカウントアップするようにしても良い。
【００２５】
また、オーディオ機器に本発明の情報再生装置を適用したことを述べたが、ビデオ機器に適用して、見逃した画像や、ＣＭなど見たくない画像を飛ばして本編を視聴できるようにしても良い。また、ストリーム型の情報表示（ストリームニュース）についても適用が可能である。このストリーム型の情報表示に対しては、カテゴリ単位で巻き戻し、早送りが可能で、カテゴリ単位の例として、「社会」、「経済」、「国際」、「スポーツ」等が挙げられる。
【図面の簡単な説明】
【００２６】
【図１】本発明の情報再生装置を適用して示す映像監視システムのブロック構成図である。
【図２】オーディオ機器における情報再生装置の概略を示すブロック構成図である。
【図３】秒指定巻き戻しボタンの外観を示す正面図である。
【図４】秒指定早送りボタンの外観を示す正面図である。
【符号の説明】
【００２７】
１  監視カメラ、２  ＤＶＲ装置、３  監視サーバー、４  監視端末、４ａ  監視映像取得部、４ｂ  監視映像再生部、４ｃ  早送り／戻し時間決定部、１０  通信網、
２１  表示部、２１ａ  秒指定巻き戻しボタン、２１ｂ  秒指定早送りボタン、２２  制御部、２３  媒体駆動部。
【図１】
2008243278.tif 000003
【図２】
2008243278.tif 000004
【図３】
2008243278.tif 000005
【図４】
2008243278.tif 000006